(57)【特許請求の範囲】
【請求項１】
送信デバイスにおいて、パケット中で配信されるべき情報ビットの数に基づいて、ＯＦＤＭシンボルの初期数を判断することと、
ＳＴＢＣ値を判断することと、
前記ＯＦＤＭシンボルの初期数に基づいてエクストラシンボル数値を判断することであって、ＯＦＤＭシンボルの最終数が、前記ＯＦＤＭシンボルの初期数と前記エクストラシンボル数値とに基づくものであり、
前記パケットに関連するＬＤＰＣパラメータを判断する目的のために、前記ＳＴＢＣ値と前記エクストラシンボル数値とに基づいてＬＤＰＣ拡張値を生成することと、
を備える、ＬＤＰＣ符号化のための方法。
【請求項２】
エクストラシンボル数を前記判断することが、
前記ＯＦＤＭシンボルの最終数を判断するために短縮演算とパンクチャリング演算とを実行することと、
前記パケット中の前記ＯＦＤＭシンボルの最終数をシグナリングすることと、
を備える、請求項１に記載の方法。
【請求項３】
受信デバイスにおいて、前記送信デバイスから前記パケットを受信することと、
前記パケットのヘッダから前記ＬＤＰＣ拡張値を解析することと、
前記パケットの信号フィールドから前記ＯＦＤＭシンボルの最終数を解析することと、
前記ＳＴＢＣ値と前記ＬＤＰＣ拡張値とに基づいて前記エクストラシンボル数値を判断することと、
前記ＬＤＰＣ拡張値と前記ＯＦＤＭシンボルの最終数とに基づいて前記ＯＦＤＭシンボルの初期数を判断することと、
をさらに備える、請求項１に記載の方法。
【請求項４】
前記パケットのヘッダ中の前記ＬＤＰＣ拡張値を符号化すること、
をさらに備え、
前記ＳＴＢＣが０であり、前記エクストラシンボル数値が０であるときは、ＬＤＰＣ拡張値が０であり、
前記ＳＴＢＣが０であり、前記エクストラシンボル数値が１であるときは、ＬＤＰＣ拡張値が１であり、
前記ＳＴＢＣが１であり、前記エクストラシンボル数値が０であるときは、ＬＤＰＣ拡張値が０であり、
前記ＳＴＢＣが１であり、前記エクストラシンボル数値が２であるときは、ＬＤＰＣ拡張値が１である、
請求項１に記載の方法。
【請求項５】
Ｎｌｄｐｃ＿ｅｘｔ値を判断することが、
前記ＬＤＰＣ拡張値が１であると仮定することと、
前記ＳＴＢＣが０であるときは、前記エクストラシンボル数値が１であると判断することと、
前記ＳＴＢＣが１であるときは、前記エクストラシンボル数値が２であると判断することと、
を備える、請求項１に記載の方法。
【請求項６】
前記パケットが８０２．１１ａｃ規格またはそれの派生物に従う、請求項１に記載の方法。
【請求項７】
ＯＦＤＭシンボルの前記最終数が整数値であり、
コードワードの数が整数値である、請求項１に記載の方法。
【請求項８】
前記送信デバイスにおいて、ＯＦＤＭシンボルの前記初期数とＮｐｌｄとの間の１対１マッピングを保証するためにバイトの最大数までＭＡＣパディングを最大にすること、
をさらに備える、請求項１に記載の方法。
【請求項９】
情報のパケットを処理するデバイスであって、
前記パケットが、
Ｎｓｙｍ値と、
ＳＴＢＣ値と、
前記ＳＴＢＣ値と、ＯＦＤＭシンボルの初期数（Ｎｓｙｍ＿ｉｎｉｔ）に基づいて前記パケットについて判断されたエクストラシンボル数（Ｎｓｙｍ＿ｅｘｔ）値とに基づくＮｌｄｐｃ＿ｅｘｔ値であって、前記Ｎｌｄｐｃ＿ｅｘｔ値が、前記パケットに関連するＬＤＰＣパラメータを判断する目的のためである、Ｎｌｄｐｃ＿ｅｘｔ値と、
を備える、デバイス。
【請求項１０】
ＳＴＢＣが０であり、Ｎｓｙｍ＿ｅｘｔが０であるときは、Ｎｌｄｐｃ＿ｅｘｔが０であり、
ＳＴＢＣが０であり、Ｎｓｙｍ＿ｅｘｔが１であるときは、Ｎｌｄｐｃ＿ｅｘｔが１であり、
ＳＴＢＣが１であり、Ｎｓｙｍ＿ｅｘｔが０であるときは、Ｎｌｄｐｃ＿ｅｘｔが０であり、
ＳＴＢＣが１であり、Ｎｓｙｍ＿ｅｘｔが２であるときは、Ｎｌｄｐｃ＿ｅｘｔが１である、
請求項９に記載のデバイス。
【請求項１１】
前記パケットが８０２．１１ａｃ規格またはそれの派生物に従う、請求項９に記載のデバイス。
【請求項１２】
情報のパケットを解釈するためのデバイスであって、
前記パケットが、
Ｎｓｙｍ値と、
ＳＴＢＣ値と
を備え、
前記ＳＴＢＣ値とエクストラシンボル数（Ｎｓｙｍ＿ｅｘｔ）値とに基づくＮｌｄｐｃ＿ｅｘｔ値が、前記パケットについて１であると仮定され、前記Ｎｌｄｐｃ＿ｅｘｔ値が、前記パケットに関連するＬＤＰＣパラメータを判断する目的のためである
デバイス。
【請求項１３】
ＳＴＢＣが０であるときは、Ｎｓｙｍ＿ｅｘｔが１であり、
ＳＴＢＣが１であるときは、Ｎｓｙｍ＿ｅｘｔが２である、
請求項１２に記載のデバイス。
【請求項１４】
送信デバイスにおいて、パケット中で配信されるべき情報ビットの数に基づいてＯＦＤＭシンボルの初期数（Ｎｓｙｍ＿ｉｎｉｔ）を判断するためのＬＤＰＣエンコーダであって、
前記ＬＤＰＣエンコーダが、前記Ｎｓｙｍ＿ｉｎｉｔに基づいてエクストラシンボル数（Ｎｓｙｍ＿ｅｘｔ）値を判断し、Ｎｓｙｍ値が前記Ｎｓｙｍ＿ｉｎｉｔ値と前記Ｎｓｙｍ＿ｅｘｔ値とに基づく、ＬＤＰＣエンコーダと、
前記送信デバイスにおいて、前記パケットに関連するＬＤＰＣパラメータを判断する目的のために、前記ＳＴＢＣ値と前記Ｎｓｙｍ＿ｅｘｔ値とに基づいてＮｌｄｐｃ＿ｅｘｔ値を生成するための拡張計算器と、
を備える、ＬＤＰＣ符号化のためのシステム。
【請求項１５】
前記ＬＤＰＣエンコーダが、前記Ｎｓｙｍ値を判断するために短縮演算とパンクチャリング演算とを実行し、前記パケット中の前記Ｎｓｙｍ値をシグナリングする、
請求項１４に記載のシステム。
【請求項１６】
前記送信デバイスにおける前記ＬＤＣＰエンコーダが、前記パケットのヘッダ中の前記Ｎｌｄｐｃ＿ｅｘｔ値を符号化し、
ＳＴＢＣが０であり、Ｎｓｙｍ＿ｅｘｔが０であるときは、Ｎｌｄｐｃ＿ｅｘｔが０であり、
ＳＴＢＣが０であり、Ｎｓｙｍ＿ｅｘｔが１であるときは、Ｎｌｄｐｃ＿ｅｘｔが１であり、
ＳＴＢＣが１であり、Ｎｓｙｍ＿ｅｘｔが０であるときは、Ｎｌｄｐｃ＿ｅｘｔが０であり、
ＳＴＢＣが１であり、Ｎｓｙｍ＿ｅｘｔが２であるときは、Ｎｌｄｐｃ＿ｅｘｔが１である、
請求項１４に記載のシステム。
【請求項１７】
前記拡張計算器が前記Ｎｌｄｐｃ＿ｅｘｔ値を１に割り当て、
ＳＴＢＣが０であるときは、Ｎｓｙｍ＿ｅｘｔが１であり、
ＳＴＢＣが１であるときは、Ｎｓｙｍ＿ｅｘｔが２である、
請求項１４に記載のシステム。
【請求項１８】
前記送信デバイスにおいて、Ｎｓｙｍ＿ｉｎｉｔとＮｐｌｄとの間の１対１マッピングを保証するためにバイトの最大数までＭＡＣパディングを最大にするＭＡＣパッダ、
をさらに備える、請求項１４に記載のシステム。
【請求項１９】
前記送信デバイスから前記パケットを受信するように構成された受信デバイスをさらに備え、前記受信デバイスが、
前記パケットのヘッダから前記Ｎｌｄｐｃ＿ｅｘｔ値を解析し、前記パケットの信号フィールドから前記Ｎｓｙｍ値を解析するためのパーサと、
前記ＳＴＢＣ値と前記Ｎｌｄｐｃ＿ｅｘｔ値とに基づいて前記Ｎｓｙｍ＿ｅｘｔ値を判断し、前記Ｎｌｄｐｃ＿ｅｘｔ値と前記Ｎｓｙｍ値とに基づいて前記Ｎｓｙｍ＿ｉｎｉｔ値を判断するためのＬＤＰＣデコーダと、
を備える、請求項１４に記載のシステム。
【請求項２０】
前記受信デバイスにおいて、前記ＬＤＰＣデコーダは、ＳＴＢＣが０であるときは、Ｎｓｙｍ＿ｅｘｔが０であり、Ｎｓｙｍ＿ｅｘｔが１であると判断し、前記ＬＤＰＣデコーダは、ＳＴＢＣが１であるときは、Ｎｓｙｍ＿ｅｘｔが０であり、Ｎｓｙｍ＿ｅｘｔが２であると判断する、請求項１９に記載のシステム。
【請求項２１】
ＯＦＤＭシンボル数（Ｎｓｙｍ）値と拡張値（Ｎｌｄｐｃ＿ｅｘｔ）とを含むパケットを受信するように構成された受信デバイスにおいて、前記パケットのヘッダから前記Ｎｌｄｐｃ＿ｅｘｔ値を解析し、前記パケットの信号フィールドから前記Ｎｓｙｍ値を解析するためのパーサと、
前記パケット内に含まれているＳＴＢＣ値と、前記Ｎｌｄｐｃ＿ｅｘｔ値とに基づいてＮｓｙｍ＿ｅｘｔ値を判断し、前記Ｎｓｙｍ＿ｅｘｔ値と前記Ｎｓｙｍ値とに基づいて前記Ｎｓｙｍ＿ｉｎｉｔ値を判断するためのＬＤＰＣデコーダと、
を備える、ＬＤＰＣ符号化のためのシステム。
【発明の詳細な説明】
【技術分野】
【０００１】
関連出願の相互参照
本出願は、その全体が参照により本明細書に組み込まれる、２０１０年９月１６日に出願された「METHODS AND SYSTEMS FOR TRANSMITTING A LOW DENSITY PARITY CHECK SIGNAL」と題する、同一出願人が所有する米国仮特許出願第６１／３８３，６１５号の優先権および利益を主張する。
【背景技術】
【０００２】
米国電気電子技術者協会（ＩＥＥＥ）８０２．１１規格は、数十メートルから数百メートルに及ぶ比較的短距離通信のためのワイヤレスローカルエリアネットワーク（ＷＬＡＮ）規格のセットを提供する。ＩＥＥＥ８０２．１１規格では、定義された周波数レンジにわたって３００Ｍｂｐｓ（メガビット毎秒）程度のデータレートが達成可能である。現在開発中の８０２．１１ａｃ規格は、そのデータレートを３倍にすることを目的としている。
【０００３】
ＩＥＥＥ８０２ワイヤレス規格の歴史は、１９９７年から２００３年に実装されたＩＥＥＥ８０２．１１ａ／ｂ／ｇ規格から始まる。２００９年に、ＩＥＥＥ８０２．１１ｎ規格は、ＩＥＥＥ８０２．１１の物理（ＰＨＹ）レイヤと媒体アクセス制御（ＭＡＣ：medium access control）レイヤとのＷＬＡＮ性能、効率およびロバストネスの実質的強化をもたらした。特に、８０２．１１ｎは新しいマルチストリーミング変調技法を導入した。したがって、ＩＥＥＥ８０２．１１ｎ規格に従って設計された製品は、レガシーＩＥＥＥ８０２．１１ａ／ｂ／ｇ技術の５倍のスループットと、最高２倍のレンジとを達成した。
【０００４】
現在提案されているＩＥＥＥ８０２．１１ａｃ規格は、ＩＥＥＥ８０２．１１ｎ規格にさらなる改善を与える。ＩＥＥＥ８０２．１１ａｃ規格は、５ギガヘルツ（ＧＨｚ）帯域中で動作し続けるが、データスループットのためにより大きいチャネルを与える。ＩＥＥＥ８０２．１１ａｃに基づくデバイスは、データを配信するために、４０メガヘルツ（ＭＨｚ）幅または８０ＭＨｚ幅のいずれかであるチャネル、また、場合によっては１６０ＭＨｚ幅さえあるチャネルを使用している。ＩＥＥＥ８０２．１１ａｃに基づくデバイスはまた、同じチャネル上で異なるユーザに同時データストリームを送信するためにマルチユーザ多入力多出力（ＭＵ−ＭＩＭＯ）を利用し得る。
【０００５】
ＩＥＥＥ８０２．１１ｎ規格では、誤り訂正コードとして使用するために低密度パリティチェック（ＬＤＰＣ：low density parity-check）コードが採用されている。ＬＤＰＣは、線形ブロックコードの一種であり、線形誤り訂正を可能にする。したがって、ＬＤＰＣは、情報を失うことなしに雑音の多い送信チャネルを介してメッセージを送信するための方法を提供する。ＬＤＰＣコードは、それらのブロック長に対して線形の時間で復号され得る。したがって、送信デバイスによるＩＥＥＥ８０２．１１ｎに従ったＬＤＰＣ符号化は、受信デバイスがパケット中のすべてのＬＤＰＣパラメータを導出することを可能にする。
【０００６】
提案されたＩＥＥＥ８０２．１１ａｃ規格では、従来のＬＤＰＣ符号化プロセスは変更され得る。提案された変更は、受信側でのＬＤＰＣ復号についての問題を生じることがある。たとえば、受信デバイスは、上述の変更から生じるいくつかのシグナリング構成要素（たとえば、ＬＤＰＣコーディングパラメータ）を認識しないことがある。さらに、受信デバイスがこれらの新しいシグナリング構成要素を認識する場合でも、ＬＤＰＣ構成要素間のマッピング問題が残り得る。
【発明の概要】
【０００７】
本発明の実施形態は、一般に送信デバイスと受信デバイスとの間のＬＤＣＰ符号化および復号に関し、ＬＤＰＣ信号を送信するための方法およびシステムを提供する。
【０００８】
一実施形態では、ＬＤＰＣ信号を与えるための方法が、符号化演算中にデータにアクセスし、そのデータに、ＬＤＰＣコーディングパラメータを判断するための情報を関連付ける。コーディングパラメータを判断するために使用される情報へのアクセスが与えられる。より詳細には、本方法は、送信デバイスにおいて、パケット中で配信されるべき情報ビットの数に基づいて、ＯＦＤＭシンボルの初期数（Ｎｓｙｍ＿ｉｎｉｔ）を判断することを含む。時空間ブロックコーディング（ＳＴＢＣ：space time block coding）値に反映される、ＳＴＢＣを採用するかどうかに関する判断を行う。Ｎｓｙｍ＿ｉｎｉｔ値に基づいてエクストラシンボル数（Ｎｓｙｍ＿ｅｘｔ）値を判断する。最終シンボル数（Ｎｓｙｍ）値は、Ｎｓｙｍ＿ｉｎｉｔ値とＮｓｙｍ＿ｅｘｔ値とに基づく。さらに、パケットに関連するＬＤＰＣパラメータを判断する目的のために、ＳＴＢＣ値とＮｓｙｍ＿ｅｘｔ値とに基づいてＮｌｄｐｃ＿ｅｘｔ値を生成する。
【０００９】
別の実施形態では、情報パケットを処理するためのデバイスが開示され、情報パケットは、ＯＦＤＭシンボルの数を与えるＮｓｙｍ値と、ＳＴＢＣが実装されるかどうかを示すＳＴＢＣ値とを含む。さらに、ＳＴＢＣ値とエクストラシンボル数（Ｎｓｙｍ＿ｅｘｔ）値とに基づいて、情報パケットについて判断されるＮｌｄｐｃ＿ｅｘｔ値を生成する。Ｎｌｄｐｃ＿ｅｘｔ値はＯＦＤＭシンボルの初期数（Ｎｓｙｍ＿ｉｎｉｔ）に基づき、Ｎｌｄｐｃ＿ｅｘｔ値は、パケットに関連するＬＤＰＣパラメータを判断する目的のために使用される。
【００１０】
さらに別の実施形態では、ＬＤＰＣ符号化のためのシステムが開示される。本システムは、パケット中で配信されるべき情報ビットの数に基づいてＯＦＤＭシンボルの初期数（Ｎｓｙｍ＿ｉｎｉｔ）を判断するためのＬＤＰＣエンコーダを備える送信デバイスを含む。ＬＤＰＣエンコーダは、Ｎｓｙｍ＿ｉｎｉｔ値に基づいてＯＦＤＭ変調のために使用されるエクストラシンボル数（Ｎｓｙｍ＿ｅｘｔ）値を判断する。パケットのＯＦＤＭ変調のために使用される最終シンボル数Ｎｓｙｍ値は、Ｎｓｙｍ＿ｉｎｉｔ値とＮｓｙｍ＿ｅｘｔ値とに基づく。送信デバイスはまた、ＳＴＢＣ値とＮｓｙｍ＿ｅｘｔ値とに基づいてＮｌｄｐｃ＿ｅｘｔ値を生成するための拡張計算器（extension calculator）を含む。Ｎｌｄｐｃ＿ｅｘｔ値は、パケットに関連するＬＤＰＣパラメータを判断する目的のために使用される。
【００１１】
当業者は、様々な図面に示された実施形態についての以下の詳細な説明を読めば、本開示の様々な実施形態のこれらおよび他の目的および利点を認識するであろう。
【図面の簡単な説明】
【００１２】
本明細書に組み込まれ、本明細書の一部をなし、同様の数字が同様の要素を表す添付の図面は、本開示の実施形態を示し、その説明とともに、本開示の原理を説明するのに役立つ。
【図１】本発明による実施形態が実装され得るワイヤレスＬＡＮを示すブロック図。
【図２】本発明による実施形態が実装され得るワイヤレス送信および受信システムを示すブロック図。
【図３】本開示の一実施形態による、すべてのＬＤＰＣコーディングパラメータを判断するために使用されるＬＤＰＣ符号化のための方法を示すフローチャート３００。
【図４】本発明の実施形態による、ワイヤレス通信において使用される物理レイヤコンバージェンスプロトコル（ＰＬＣＰ）フレームのためのフレーム構造の例を示す図。
【図５】本開示の一実施形態による、すべてのＬＤＰＣコーディングパラメータを判断するために使用されるＬＤＰＣ符号化のための方法を実装するように構成されたシステムのブロック図。
【図６】本開示の一実施形態による、符号化演算中にデータにアクセスすることと、そのデータに、ＬＤＰＣコーディングパラメータを判断するための情報を関連付けることとを含む、ＬＤＰＣ信号を与えるための方法を示すフローチャート３００。
【発明を実施するための形態】
【００１３】
次に、添付の図面にそれの例が示されている、本開示の様々な実施形態を詳細に参照する。これらの実施形態に関して説明するが、それらは、本開示をこれらの実施形態に限定するものではないことを理解されよう。むしろ、本開示は、添付の特許請求の範囲によって定義された本開示の趣旨および範囲内に含まれ得る、代替形態、変更形態および均等物を包含するものとする。さらに、本開示についての以下の詳細な説明では、本開示の完全な理解を与えるために多数の具体的な詳細を記載する。ただし、本開示は、これらの具体的な詳細なしに実施され得ることを理解されよう。他の場合には、本開示の態様を不必要に不明瞭にしないように、よく知られている方法、手順、構成要素、および回路については詳細に説明していない。
【００１４】
したがって、本開示の実施形態は、ＩＥＥＥ８０２．１１ａｃおよびそれの派生物など、新しいワイヤレス送信規格に従って低密度パリティチェック（ＬＤＰＣ）信号を送信するためのシステムおよび方法を提供する。ある場合には、以前に採用されたＩＥＥＥ８０２．１１ｎ規格のために使用される符号化プロセスを変更する必要はない。他の場合には、ＬＤＰＣパラメータを判断するために使用される、配信されるビット数が低減され、その結果、パンクチャリングが少なくなり（または繰り返しが多くなり）、それにより性能が改善されることになる。
【００１５】
ドラフトまたは承認された形態において、その全体が本明細書に組み込まれる、ＩＥＥＥ８０２．１１ａｃ規格およびそれの派生物におけるＬＤＰＣコーディングの実装形態に関して、本発明の実施形態について説明するが、本明細書で説明するＬＤＰＣ符号化のための方法およびシステムはまた、本発明の様々な他の実施形態における様々な他のワイヤレス規格内で実装可能である。
【００１６】
以下の詳細な説明のいくつかの部分は、コンピュータメモリ内のデータビットに対する演算の手順、論理ブロック、処理、および他の記号表現に関して提示する。これらの説明および表現は、データ処理の当業者がその動作の本質を他の当業者に最も効果的に伝えるために使用する手段である。本出願では、手順、論理ブロック、プロセスなどは、所望の結果をもたらす自己無撞着な一連のステップまたは命令であると考えられる。ステップは、物理量の物理的操作を利用するステップである。必ずしもそうとは限らないが、通常、これらの量は、コンピュータシステムにおいて記憶、転送、組合せ、比較、および他の操作が可能な、電気信号または磁気信号の形態をとる。主に一般的な用法という理由で、これらの信号をトランザクション、ビット、値、要素、記号、文字、サンプル、ピクセルなどと呼ぶことは時々便利であることがわかっている。
【００１７】
ただし、これらおよび同様の用語はすべて、適切な物理量に関連付けられるべきものであり、これらの量に付与される便利なラベルにすぎないことを留意されたい。別段に明記されていない限り、以下の説明から明らかなように、本開示全体にわたって、「アクセスする」、「受信する」、「送る」、「ブロードキャストする」、「判断する」、「生成する」、「シグナリングする」、「計算する」などの用語を利用する説明は、コンピュータシステムあるいは同様の電子コンピューティングデバイスまたはプロセッサの動作およびプロセスを指すことを諒解されたい。コンピュータシステムまたは同様の電子コンピューティングデバイスは、コンピュータシステムメモリ、レジスタまたは他のそのような情報記憶デバイス、送信デバイスまたは表示デバイス内の物理（電子）量として表されるデータを操作し、変換する。
【００１８】
本明細書で説明する実施形態は、１つまたは複数のコンピュータまたは他のデバイスによって実行される、プログラムモジュールなど、何らかの形態のコンピュータ可読記憶媒体上に常駐するコンピュータ実行可能命令の概略的なコンテキストで説明され得る。限定ではなく、例として、コンピュータ可読記憶媒体は、非一時的コンピュータ可読記憶媒体と通信媒体とを備え得、非一時的コンピュータ可読媒体は、一時的な、伝搬する信号を除くすべてのコンピュータ可読媒体を含む。概して、プログラムモジュールは、特定のタスクを実行するか、または特定の抽象データ型を実装する、ルーチン、プログラム、オブジェクト、構成要素、データ構造などを含む。プログラムモジュールの機能は、様々な実施形態において必要に応じて組み合わせられ得るか、または分散され得る。
【００１９】
コンピュータ記憶媒体は、コンピュータ可読命令、データ構造、プログラムモジュールまたは他のデータなど、情報の記憶のための任意の方法または技術において実装される揮発性および不揮発性、取外し可能および取外し不能メディアを含む。コンピュータ記憶媒体は、限定はしないが、ランダムアクセスメモリ（ＲＡＭ）、読取り専用メモリ（ＲＯＭ）、電気的消去可能プログラマブルＲＯＭ（ＥＥＰＲＯＭ）、フラッシュメモリまたは他のメモリ技術、コンパクトディスクＲＯＭ（ＣＤ−ＲＯＭ）、デジタル多用途ディスク（ＤＶＤ）または他の光ストレージ、磁気カセット、磁気テープ、磁気ディスクストレージまたは他の磁気ストレージデバイス、あるいは所望の情報を記憶するために使用され得、その情報を取り出すためにアクセスされ得る任意の他の媒体を含む。
【００２０】
通信媒体は、コンピュータ実行可能命令と、データ構造と、プログラムモジュールとを実施することができ、任意の情報配信媒体を含む。限定ではなく、例として、通信媒体は、ワイヤードネットワークまたは直接ワイヤード接続などのワイヤード媒体と、音響、無線周波数（ＲＦ）、赤外線および他のワイヤレス媒体などのワイヤレス媒体とを含む。上記のいずれの組合せもコンピュータ可読媒体の範囲内に含まれ得る。
【００２１】
図１は、本発明の一実施形態による、例示的なワイヤレスＬＡＮネットワーク１０５のブロック図である。局ＳＴＡ−１〜ＳＴＡ−５は、たとえば、ワイヤレスアクセスポイント（ＡＰ）であり得る、基地局１２０からデータをワイヤレス受信し、基地局１２０にデータを送信することが可能である。８０２．１１超高スループット（ＶＨＴ）規格は、生データがワイヤレスにかつ確実に６．９３３Ｇｂｐｓ（ギガビット毎秒）までの未加工レートをトランスポートすることを提案する。基地局１２０は、ワイヤを介してまたはワイヤレスにルータ１１５と通信する。図１の例では、ルータ１１５は、概してワイヤ１６０を通して、ケーブルモデム１１０を介してネットワーク接続性を有する。
【００２２】
図２は、ワイヤレス送信および受信ノードコンプレックス２００のブロック図である。ストリームＳは、「送信されるべき」ストリームであり、ペイロードデータに基づいて作成され、（本出願ではヘッダとも呼ぶ）プリアンブルと他の情報とともに符号化され、その後、エンコーダおよび変調器ブロック２０５（たとえば、ＯＦＤＭ変調器）に供給される。ノードコンプレックス２００は、Ｍ×Ｎ多入力多出力（ＭＩＭＯ）システムを形成する、送信方向のＭ個のアンテナ２２０と、受信のＮ個のアンテナ２６０とからなる。ノードコンプレックス２００は、ＭＩＭＯモードで動作している間、一実施形態では、空間分割多元接続（ＳＤＭＡ）を使用して、いくつかの受信機と通信し得る。ＳＤＭＡは、同じ周波数スペクトルを共有するために同時に異なる受信機に送信されている複数のストリームを可能にする。いずれかのストリーム内に、ペイロードデータとプリアンブルの両方を含んでいる情報のパケットがある。
【００２３】
同時複数ストリーム伝送は帯域幅の向上につながる。同時性を達成するために、各データストリームは、空間的にプリコードされ、次いで、異なる送信アンテナを通して送信される。この空間プリコーディングおよび処理はブロック２１０によって行われる。これにより、変調シンボルのシーケンスを生成するために信号グループにマッピングされるコードシンボルのシーケンスが生じる。
【００２４】
ＭＩＭＯシステムは、直交周波数分割多重化（ＯＦＤＭ）を含む、いくつかの変調方式をサポートし得る。ＯＦＤＭは、正確な周波数で離間したいくつかのサブキャリアにわたってデータを配信するスペクトル拡散技法である。離間は、直交であり、受信機がデータを復元することを可能にする。より詳細には、データは、シンボルとしてデータのブロックに収集される。これらのブロックは、信号消去または干渉による１つまたは複数のサブキャリアの損失が回復可能であるように、誤り防止のために符号化され、次いで、様々な指定されたサブキャリアにわたってインターリーブされる。この変調技法は、ＩＥＥＥ８０２．１１ａｃ  ＶＨＴを含む任意のワイヤレス規格を使用して採用され得る。ＯＦＤＭ変調器２０５は、変調シンボルをいくつかのパラレルストリームに分割する。サブキャリアの各セット上で逆高速フーリエ変換（ＦＦＴ）を実行して、時間領域ＯＦＤＭシンボルを生成する。ＯＦＤＭシンボルは、複数のデータパケットのペイロード中で分散される。プリアンブルは、各データパケット中でペイロードとともに搬送される。プリアンブルは、データと同様のパラレルストリームに分割されるいくつかのシンボルを含む。プリアンブルは、空間処理の前にデータペイロードに付加される。異なる空間ストリームは、無線周波数（ＲＦ）トランシーバ２２５を使用して複数のアンテナを通して送信される。
【００２５】
送信された情報は、ＲＦキャリア上で変調された情報を復元するために、アンテナ２６０上で受信され、受信機２６５に供給される。復元された情報は空間送信機２７０に与えられる。位相トラッカー２８０などのプリアンブルプロセッサは、プリアンブルを使用して、ＯＦＤＭ復調器２７５と、受信データプロセッサなどの他のダウンストリーム処理構成要素２９５とに同期情報を与える。ＯＦＤＭ復調器２７５は、ＦＦＴを使用してストリームを時間領域から周波数領域に変換する。周波数領域はサブキャリアごとにストリームを含む。チャネル推定器２８５は、位相トラッカー２８０から情報を受信し、チャネル応答を推定する。チャネル推定応答出力は、ＯＦＤＭ復調器２７５と受信データプロセッサ２９５とに与えられる。プリアンブルの一部として、ワイヤレスチャネルを通した送信により位相シフトされたパイロットトーンがある。ある位相シフトは、受信および送信における位相ロックループ間の相対周波数残留オフセットに起因し、概して線形である。別の位相シフトは位相雑音により生じる。
【００２６】
概して、ＬＤＰＣエラーコーディングは、エラーコーディングのためにも使用され得るバイナリ畳み込みコーディング（ＢＣＣ：binary convoluted coding）よりも大きい利得を有する。たとえば、ＬＤＰＣは、低実装コストをもたらし、高速実装のために構成され得る。したがって、ＬＤＰＣは、ＩＥＥＥ８０２．１１ｎおよびＩＥＥＥ８０２．１１ａｃシステムにおいて使用するのに適する。
【００２７】
より詳細には、ＯＦＤＭ変調技法内でＬＤＰＣエラーコーディングを実装するワイヤレスシステムでは、ＬＤＰＣコーディングパラメータとパケット長とを判断することに関与する２つの制約がある。第１の制約は、ＯＦＤＭシンボルの数（Ｎｓｙｍ）が整数であるべきであることを規定する。さらに、ＳＴＢＣが使用される場合、Ｎｓｙｍは偶数であり得、ＳＴＢＣは、受信を改善するために複数のアンテナを介して送信信号を拡散する送信機ダイバーシティ技法である。第２の制約は、コードワードの数（Ｎｃｗ）も整数であるべきであることを規定する。
【００２８】
図３は、本開示の一実施形態による、すべてのＬＤＰＣコーディングパラメータを判断するために使用されるＬＤＰＣ符号化のための方法を示すフローチャート３００である。フローチャート３００で概説するプロセスは、ＩＥＥＥ８０２．１１ｎ規格に従ったワイヤレスシステム内と、また、修正があるまたはない、提案されたＩＥＥＥ８０２．１１ａｃ規格内の両方で実装可能であり、ＬＤＰＣパラメータを符号化および復号するための一般的なバックグラウンドを与えるものとする。すなわち、ＩＥＥＥ８０２．１１ｎ  ＬＤＰＣコードは、バイナリ畳み込みコーディング（ＢＣＣ）、実装フレンドリー構成、ならびに短縮およびパンクチャリングを用いた高効率符号化プロセスよりも利得が大きいために、ＩＥＥＥ８０２．１１ａｃ実装に適する。したがって、フローチャート３００のステップに従うことによって、および／またはフローチャート３００のステップを変更することによって、送信デバイスおよび受信デバイスは、情報の特定のパケットに関連するすべてのＬＤＰＣコーディングパラメータを生成、導出、および／または判断することが可能である。明快および説明のために、８０２．１１ｎ規格と８０２．１１ａｃ規格とに従って使用されるすべての符号化演算がフローチャート３００内に含まれ得るとは限らないが、等しく適用可能である。
【００２９】
３１０において、バイトで構成される情報ビットの数（Ｎｂｙｔｅｓ）と、ＰＨＹレート／ＢＷ（物理レイヤのコーディングレートおよび帯域幅）を含む他のパラメータとを使用して、Ｎｐｌｄ（データ構造ＰＳＤＵおよびサービスフィールドにおけるビットの数）と、パケットのデータフィールドのために使用されるＯＦＤＭシンボルの最小数において利用可能なビットの数（Ｎａｖｂｉｔｓ）とを計算する。ＮａｖｂｉｔおよびＮｓｙｍ＿ｉｎｉｔは、Ｎｓｙｍが整数である第１の制約を満たすように計算される。３２０において、ＮｐｌｄとＮａｖｂｉｔｓとを使用して、Ｌｌｄｐｃ（コードワード長）とＮｃｗ（コードワードの数）とを判断する。すなわち、使用すべきコードワードの長さ（Ｌｌｄｐｃ）と同様に、送信すべきＬＤＰＣコードワードの整数（Ｎｃｗ）が判断される。３３０において、短縮ビットの数（Ｎｓｈｒｔ）を計算または判断する。短縮ビットはＮｐｌｄデータビットにパディングされる。３４０において、パケット中の最終シンボル数（Ｎｓｙｍ）を判断し、これには、初期パンクチャドビット数（Ｎｐｕｎｃ）を判断するためにパンクチャリング演算を実行することが含まれる。Ｎｐｕｎｃが大きすぎる場合、性能損失を回避するために、式１に示すように、最終Ｎｓｙｍ値中に含まれるエクストラＯＦＤＭシンボルがパケットに追加され得、ただし、Ｎｃｗ値およびＮｓｈｒｔ値は不変であり、Ｎｐｕｎｃが負になる場合、Ｎｐｕｎｃは、繰り返しを使用することによって低減または交換され得る。
【数１】
0005524421.tif 000002
【００３０】
以前は、ＩＥＥＥ８０２．１１ｎ規格を実装するワイヤレスデバイスは、Ｎｐｌｄに基づく、Ｎｂｙｔｅｓ、すなわち発信された情報のバイトの数を含むことによって送信デバイスと受信デバイスとの間でＬＤＰＣパラメータを搬送することが可能であった。受信デバイスは、Ｎｂｙｔｅ値から適切なＬＤＰＣパラメータを導出することが可能であろう。
【００３１】
提案されたＩＥＥＥ８０２．１１ａｃでは、ワイヤレスデバイスは、ＩＥＥＥ８０２．１１ｎにおいてＮｂｙｔｅ情報をシグナリングすることとは反対に、信号フィールド（たとえば、フィールド４７９）中でＮｓｙｍをシグナリングする。１つには、Ｎｓｙｍをちょうど受信している受信デバイスがＮｓｙｍ＿ｉｎｉｔを導出することができないので、その受信デバイスがすべてのＬＤＰＣパラメータを導出することができず、Ｎｓｙｍ＿ｉｎｉｔが計算された場合でも、Ｎｓｙｍ＿ｉｎｉｔおよび／またはＮａｖｂｉｔｓを計算するためにＬＤＰＣ符号化プロセス中に使用されるシーリング関数により、所与のＰＨＹレート（Ｒ）およびＢＷ（帯域幅）についてのＮｓｙｍ＿ｉｎｉｔとＮｐｌｄとの間の１対１マッピングはない。
【００３２】
本発明の実施形態は、すべてのＬＤＰＣコーディングパラメータ（たとえば、Ｎｃｗ、Ｌｌｄｐｃ、Ｎｓｈｒｔ、Ｎｐｕｎｃ、Ｎｒｅｐなど）を導出するために、送信デバイスと受信デバイスとの間で受信デバイスのために必要な情報を効果的にシグナリングすることが可能である。特に、受信デバイスは、Ｎｓｙｍを与えられる、Ｎｐｌｄおよび／またはＮｂｙｔｅ、ならびにパケットへの拡張として追加されたシンボル数を導出するために使用され得る追加情報Ｎｌｄｐｃ＿ｅｘｔを導出することが可能である。Ｎｌｄｐｃ＿ｅｘｔの値を含むことによって、またはＮｌｄｐｃ＿ｅｘｔの値を推論することによって、すべてのＬＤＰＣパラメータが、フローチャート３００に基づく演算を使用して導出可能である。
【００３３】
図４は、本開示の一実施形態による、ＬＤＰＣパラメータの導出を可能にする情報を含むように構成された例示的な物理レイヤコンバージェンスプロトコル（ＰＬＣＰ）フレーム４００の例示的な表現である。特に、一実施形態では、フレーム４００内で推論される情報またはフレーム４００内に含まれる情報は、ＩＥＥＥ８０２．１１ａｃ規格に従ってワイヤレスシステム内で実装可能である。したがって、１つには、情報の配信されたパケット内で与えられる指定されたＮｓｙｍ値が与えられれば、ＬＤＰＣパラメータは導出可能である。
【００３４】
図４に示すように、フレーム４００は、データフィールド４８０中でＯＦＤＭシンボルとしてパックされたペイロードデータならびにプリアンブル情報を含む。プリアンブル情報は、レガシーのための「Ｌ」タイプとして分類されるトレーニングシーケンスと、ＩＥＥＥ８０２．１１ａｃなどの規格に特有の、新たに定義された超高スループットトレーニングシーケンスのための「ＶＨＴ」タイプとして分類されるトレーニングシーケンスとを含む。たとえば、レガシートレーニングファイルは、レガシーショートトレーニングフィールド（Ｌ−ＳＴＦ）４１０と、レガシーロングトレーニングフィールド（Ｌ−ＬＴＦ）４２０と、レガシー信号フィールド（Ｌ−ＳＩＧ）４３０とを含む。さらに、ＶＨＴトレーニングフィールドは、ＶＨＴ信号Ａフィールド（ＶＨＴＳＩＧ  Ａ）４４０と、ＶＨＴ信号Ｂフィールド（ＶＨＴＳＩＧ  Ｂ）４７０と、超高スループットパケット開始検出フィールド（ＶＨＴ  ＳＴＦ）４５０と、ＶＨＴロングトレーニングフィールド（ＶＨＴ−ＬＴＦ）４６０とを含む。Ｍ×Ｎ  ＭＩＭＯシステムでは、プリアンブルはＮ個のＶＨＴ−ＬＴＦを含む。これらのシンボルは、データシンボルのように、既知のトレーニングシーケンスの混合を含む。ＯＦＤＭ送信プロセッサは、「変調されるべき」シンボルの形成中にプリアンブルをパケットデータの前に配置する。本発明の様々な実施形態では、ＬＤＰＣパラメータを導出する目的のために、Ｎｌｄｐｃ＿ｅｘｔ値４７５、Ｎｂｙｔｅ値４７７、および／またはＮｓｙｍ値４７９などの情報が含まれ得る。
【００３５】
一実施形態では、図４に示すように、情報バイトの数を示すＮｂｙｔｅｓ４７７は、ＶＨＴＳＩＧ  Ｂフィールド４７０中でシグナリングされる。したがって、物理レイヤレート（ＰＨＹレートＲ）と一緒のＮｂｙｔｅ情報、および帯域幅（ＢＷ）情報は、受信デバイスがすべての適切なＬＤＰＣパラメータを導出すのに十分である。一実装形態では、ＩＥＥＥ８０２．１１ａｃ規格を使用してワイヤレス通信を実装するとき、このプロセスを使用したデバイスは、ＩＥＥＥ８０２．１１ｎ  ＬＤＰＣ符号化プロセスを変更する必要はない。
【００３６】
図５は、本開示の一実施形態による、すべてのＬＤＰＣコーディングパラメータを判断するために使用されるＬＤＰＣ符号化のための方法を実装するように構成されたシステム５００のブロック図である。一実装形態では、図５に示すシステム５００は、受信デバイスに配信可能である情報のパケットに関連してＬＤＰＣ符号化を実行している送信デバイスを含む。データ構造内に含まれる情報またはデータ構造内で推測される情報は、すべての適切なＬＤＰＣパラメータの導出を可能にする。
【００３７】
図５に示すように、システム５００の送信機内に配置されたＬＤＰＣエンコーダ５２０は、情報ソース５１０からの入力データを受け付け、受信デバイスにおける誤り訂正処理に適する、より高い冗長性を含むコード化ストリームデータを出力する。特に、信号符号化プロセス中に情報ソース５１０によってデータが与えられる。
【００３８】
ＬＤＰＣエンコーダ５２０は、パケット中で配信されるべき情報ビットの数に基づいて、ＯＦＤＭシンボルの初期数（Ｎｓｙｍ＿ｉｎｉｔ）を判断するように構成される。このＮｓｙｍ＿ｉｎｉｔ値は、ＩＥＥＥ８０２．１１ａｃ規格に従って、情報パケット内で配信可能である最終Ｎｓｙｍ値を導出するために判断される。
【００３９】
フローチャート３００、ならびに本明細書で前に完全に組み込まれた、ＩＥＥＥ８０２．１１ａｃ規格のための仕様で概説したように、Ｎｓｙｍ値の計算中に、ＬＤＰＣエンコーダ５２０は、Ｎｓｙｍ＿ｉｎｉｔ値に基づいて、（本明細書ではＮｓｙｍ＿ｅｘｔ値と呼ぶ）エクストラシンボル数を判断する。決定したＮｓｙｍ値は、整数であるという制約を満たし、式２のＮｓｙｍ＿ｉｎｉｔ値とＮｓｙｍ＿ｅｘｔ値とに基づく。
【数２】
0005524421.tif 000003
【００４０】
さらに、データのＶＨＴ−ＳＩＧ  ＡまたはＢ中でＬＤＰＣコーディングに基づくエクストラシンボルが与えられる。特に、送信デバイスにおけるＬＤＰＣ拡張計算器５３０は、以下に与える式３において、パケットに関連するＬＤＰＣパラメータを判断する目的のために、ＳＴＢＣ値とＮｓｙｍ＿ｅｘｔ値とに基づいてＮｌｄｐｃ＿ｅｘｔビット／値を生成する。Ｎｌｄｐｃ＿ｅｘｔの生成は、Ｎｃｗが整数である第２の制約の準拠を保証する。
【数３】
0005524421.tif 000004
【００４１】
図５に示すように、ＯＦＤＭ変調器５４０は、ＬＤＰＣエンコーダ５２０からの符号化メッセージを、次いで受信デバイスに送信される信号波形に変調するように構成される。
【００４２】
図６は、本開示の一実施形態による、符号化演算中にデータにアクセスすることと、そのデータに、ＬＤＰＣコーディングパラメータを判断するための情報を関連付けることとを含む、ＬＤＰＣ信号を与えるために使用されるプロセスのフローチャート６００である。コーディングパラメータを判断するために使用される情報へのアクセスが与えられる。たとえば、フローチャート６００は、ＩＥＥＥ８０２．１１ａｃ規格に従って情報のワイヤレスパケットを配信するときにＬＤＰＣ情報を与えるために実装される。一実装形態では、システム５００は、フローチャート６００の方法を実装するように構成される。
【００４３】
特に、ステップ６１０において、送信デバイスにおいてＯＦＤＭシンボルの初期数（Ｎｓｙｍ＿ｉｎｉｔ）を判断する。Ｎｓｙｍ＿ｉｎｉｔ値は、前に説明したように、パケット中で配信されるべき情報ビットの数に基づく。ステップ６２０において、時空間ブロックコーディング（ＳＴＢＣ）値に反映される、ＳＴＢＣを採用するかどうかに関する判断を行い、ＳＴＢＣは、受信を改善するために複数のアンテナを介して送信信号を拡散する送信機ダイバーシティ技法である。
【００４４】
Ｎｓｙｍ＿ｉｎｉｔは、情報パケット内で配信可能である最終Ｎｓｙｍ値を最終的に導出するために使用される。詳細には、ステップ６３０において、Ｎｓｙｍ＿ｉｎｉｔ値に基づいて（Ｎｓｙｍ＿ｅｘｔ値によって表される）エクストラシンボル数を判断する。最終シンボル数（Ｎsym）値は、式２で表されるように、Ｎｓｙｍ＿ｉｎｉｔ値とＮｓｙｍ＿ｅｘｔ値とに基づく。前に説明したように、エクストラシンボル数（Ｎｌｄｐｃ＿ｅｘｔ）を判断し、Ｎｓｙｍを導出するために、短縮演算とパンクチャリング演算とを実行する。Ｎｓｙｍ値は、情報パケット内でシグナリングされる。
【００４５】
さらに、送信デバイスにおいて、ＳＴＢＣ値とＮｌｄｐｃ＿ｅｘｔ値とに基づいてＮｓｙｍ＿ｅｘｔ値を生成する。詳細には、Ｎｌｄｐｃ＿ｅｘｔが知られると、ＳＴＢＣ値に基づいてＮｓｙｍ＿ｅｘｔを生成する。Ｎｓｙｍ＿ｅｘｔは、式３に反映されるように、ＳＴＢＣ値に応じて０と２との間の値をとることができる。Ｎｌｄｐｃ＿ｅｘｔは、１ビットの情報として、必要とされるＮｓｙｍ値と組み合わせてＬＤＰＣパラメータ導出を可能にする。Ｎｌｄｐｃ＿ｅｘｔ値は、情報パケット内で配信可能である。
【００４６】
したがって、その両方が情報パケット中で配信されるＮｌｄｐｃ＿ｅｘｔ値とＳＴＢＣ値との組合せは、Ｎｓｙｍ＿ｅｘｔ、ならびにすべての他の適切なＬＤＰＣパラメータを導出するために受信デバイスによって使用される。詳細には、受信デバイスにおいて、情報パケットは送信デバイスから受信され、Ｎｌｄｐｃ＿ｅｘｔビット／値およびＮｓｙｍ値は、ＬＤＰＣデコーダによって情報パケットのヘッダおよび／または信号フィールドから解析される。Ｎｓｙｍ＿ｅｘｔは、ＳＴＢＣ値とＮｌｄｐｃ＿ｅｘｔ値とに基づいて導出される。さらに、Ｎｓｙｍ＿ｉｎｉｔ値は、（Ｎｓｙｍ＿ｅｘｔ値を導出するために使用される）Ｎｌｄｐｃ＿ｅｘｔと、Ｎｓｙｍ値とに基づいて導出可能である。
【００４７】
表１に、ＳＴＢＣ値とＮｓｙｍ＿ｅｘｔ値とＮｌｄｐｃ＿ｅｘｔ値とを関連付けるためのＮｌｄｐｃ＿ｅｘｔ値の使用を示す。特に、表１の値は、Ｎｓｙｍ＿ｅｘｔを与えられたＮｌｄｐｃ＿ｅｘｔを生成するために送信デバイスにおいて使用され得、および／またはＮｌｄｐｃ＿ｅｘｔを与えられたＮｓｙｍ＿ｅｘｔを導出するために受信デバイスによって使用され得る。図示のように、ＳＴＢＣが０であるとき、Ｎｓｙｍ＿ｅｘｔが０であるときは、Ｎｌｄｐｃ＿ｅｘｔが０であり、Ｎｓｙｍ＿ｅｘｔが１であるときは、Ｎｌｄｐｃ＿ｅｘｔが１である。また、ＳＴＢＣが１であるとき、Ｎｓｙｍ＿ｅｘｔが０であるときは、Ｎｌｄｐｃ＿ｅｘｔが０であり、Ｎｓｙｍ＿ｅｘｔが２であるときは、Ｎｌｄｐｃ＿ｅｘｔが１である。
【表１】
0005524421.tif 000005
【００４８】
受信デバイスにおいてＮｓｙｍ＿ｉｎｉｔを導出する目的のためにＮｓｙｍ＿ｉｎｉｔおよびＮｐｌｄの値を整合させるために、ＬＤＰＣ符号化プロセスの前にＮｐｌｄをＯＦＤＭシンボル境界と整合させるためにＭＡＣ／ＰＨＹパディングを実行するときに、Ｎｓｙｍ＿ｉｎｉｔとＮｐｌｄとの間の１対１マッピングが保証される。すなわち、パディングは、ＭＡＣレイヤにおいて実行され、式４で表されるように、パケット中のバイトの最大数がＮｓｙｍ＿ｉｎｉｔとＮｐｌｄとの間の１対１マッピングを保証するように、最大にされる。
【数４】
0005524421.tif 000006
【００４９】
上式で、Ｎｄｂｐｓはシンボル当たりのデータビットの数として定義され、Ｎｃｂｐｓはシンボル当たりのコード化ビットの数として定義され、Ｒはコーディングレートである。
【００５０】
さらに別の実施形態では、図３の動作３４０において判断されたＮｐｕｎｃの値にかかわらず、エクストラシンボル（Ｎｓｙｍ＿ｅｘｔ）が常に配信される。すなわち、ＳＴＢＣが使用される場合、Ｎｓｙｍ＿ｅｘｔは１または２のいずれかである。そのようにして、表１の値を適用する目的のために、Ｎｌｄｐｃ＿ｅｘｔは１であると仮定される。したがって、Ｎｌｄｐｃ＿ｅｘｔは、情報のパケット中で配信される必要はない。表１に基づいて、式５で表されるように、Ｎｓｙｍ＿ｉｎｉｔは導出可能である。
【数５】
0005524421.tif 000007
【００５１】
また、ＳＴＢＣが使用される場合、式６で表されるように、Ｎｓｙｍ＿ｉｎｉｔは導出可能である。
【数６】
0005524421.tif 000008
【００５２】
すなわち、表１によれば、受信機において、Ｎｌｄｐｃ＿ｅｘｔが１であると仮定すると、ＳＴＢＣが０であるときは、Ｎｓｙｍ＿ｅｘｔが１であると判断され、ＳＴＢＣが１であるときは、Ｎｓｙｍ＿ｅｘｔが２であると判断される。さらに、ＮｐｌｄとＮｓｙｍ＿ｉｎｉｔとの整合のために、前に説明したように、一実装形態では、ＬＤＰＣ符号化の前にＮｐｌｄをＯＦＤＭシンボル境界と整合させるためにＭＡＣ／ＰＨＹパディングが定義される。
【００５３】
ここまで、本発明の実施形態に従って、ＩＥＥＥ８０２．１１ａｃおよびそれの派生物など、新しいワイヤレス送信規格に従って低密度パリティチェック（ＬＤＰＣ）信号を送信するためのシステムおよび方法について説明した。一実施形態では、ＬＤＰＣパラメータを判断するために使用される、配信されるビット数（１ビットＮｌｄｐｃ＿ｅｘｔ値）が低減され、その結果、パンクチャリングが少なくなり（または繰り返しが多くなり）、それにより性能が改善されることになる。
【００５４】
上記の開示では、特定のブロック図、フローチャート、および例を使用して様々な実施形態を記載したが、本明細書で説明および／または例示した各ブロック図構成要素、フローチャートステップ、演算、ならびに／あるいは構成要素は、個別におよび／または集合的に実装され得る。さらに、同じ機能を達成するために多くの他のアーキテクチャが実装され得るので、他の構成要素内に含まれている構成要素のいかなる開示も例として見なされるべきである。
【００５５】
本明細書で説明および／または例示したプロセスパラメータおよび一連のステップは、単に例として与えたものであり、必要に応じて変更することができる。たとえば、本明細書で例示および／または説明したステップは、特定の順序で図示または説明され得るが、これらのステップは、必ずしも例示または説明した順序で実行する必要があるとは限らない。また、本明細書で説明および／または例示した様々な例示的な方法は、本明細書で説明または例示したステップのうちの１つまたは複数を省略するか、または開示したステップに加えて追加のステップを含み得る。
【００５６】
上記の説明について、説明の目的で、特定の実施形態を参照しながら説明した。ただし、上記の例示的な説明は、網羅的なものでも、本発明を開示された正確な形態に限定するものでもない。上記の教示に鑑みて、多くの変更および変形が可能である。本発明の原理およびそれの実際的適用例を最も良く説明し、それにより他の当業者が、企図された特定の用途に好適であり得るような様々な変更を加えて、本発明および様々な実施形態を最も良く利用することを可能にするために、実施形態を選定し、説明した。
【００５７】
以上、本発明による実施形態について説明した。本開示について特定の実施形態において説明したが、本発明は、そのような実施形態によって限定されると解釈されるべきではなく、以下の特許請求の範囲に従って解釈されるべきであることを諒解されたい。
【図１】
0005524421.tif 000009
【図２】
0005524421.tif 000010
【図３】
0005524421.tif 000011
【図４】
0005524421.tif 000012
【図５】
0005524421.tif 000013
【図６】
0005524421.tif 000014